【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
加圧ユニット（１４０）および前記加圧ユニットに医療流体を供給するための少なくとも１つの供給ステーション（１０５ａ；１０５ｂ；１０５ｃ）を備える注入システム（１００；２００）を運転する方法であって、
前記供給ステーションは：
−前記医療流体を含むための少なくとも１つのレセプタクル（１１０ａ；１１０ｂ；１１０ｃ）；
−前記医療流体を患者に送達するための前記加圧ユニットおよび前記レセプタクルと流体連通している送達アレンジメント（１３５）、および
−前記送達アレンジメントを通る前記医療流体の流れを調節するための前記送達アレンジメントと関連するクランプ手段（３００）、
を備え、
前記方法は：
−第一の注入手順が完了するまで前記加圧ユニットを運転するステップ（５１０）；
−連続する注入手順が開始される前にスタンバイ状態で前記注入システムを維持するステップ（５２０）
ここで、前記注入システムは、前記の維持するステップ中、注入するように運転されない、
および
−前記の連続する注入手順が完了するまで前記加圧ユニットを運転するステップ（５４０）、
を含み、
スタンバイ状態で前記注入システムを維持する前記ステップは、前記送達アレンジメントをクランプ解除するために前記クランプ手段に対して作用するステップ（５６０）を含むことを特徴とする、
方法。
【請求項２】
請求項１に記載の注入システム（１００；２００）を運転する方法であって、
前記送達アレンジメントをクランプ解除するために前記クランプ手段に対して作用する前記ステップは、所定のクランプ解除頻度で行なわれる、
方法。
【請求項３】
請求項１に記載の注入システム（１００；２００）を運転する方法であって、
前記送達アレンジメントをクランプ解除するために前記クランプ手段に対して作用する前記ステップは、前記の連続する注入手順の開始時間（ｔｎｉ）が所定のクランプ解除時間（ｔｄ）よりも長い場合に作動される、
方法。
【請求項４】
請求項３に記載の注入システム（１００；２００）を運転する方法であって、
前記の連続する注入手順の開始時間（ｔｎｉ）は、前記の第一の注入手順の完了から算出される、
方法。
【請求項５】
請求項３に記載の注入システム（１００；２００）を運転する方法であって、
前記送達アレンジメントをクランプ解除するために前記クランプ手段に対して作用する少なくとも１つのステップが、同一の維持するステップ中に既に作動されている場合は、前記の連続する注入手順の開始時間（ｔｎｉ）がリセットされて、前記クランプ手段に対して作用する前記の少なくとも１つのステップの最終の完了から算出される、
方法。
【請求項６】
請求項３に記載の注入システム（１００；２００）を運転する方法であって、
前記の所定のクランプ解除時間（ｔｄ）は、１時間〜４時間の範囲内で選択される、
方法。
【請求項７】
請求項６に記載の注入システム（１００；２００）を運転する方法であって、
前記の所定のクランプ解除時間（ｔｄ）は、２時間〜３時間の範囲内で選択される、
方法。
【請求項８】
請求項１に記載の注入システム（１００；２００）を運転する方法であって、
前記送達アレンジメントをクランプ解除するために前記クランプ手段に対して作用する前記ステップ（５６０）は、所定のクランプ解除持続時間行なわれる、
方法。
【請求項９】
請求項８に記載の注入システム（１００；２００）を運転する方法であって、
前記の所定のクランプ解除持続時間は、１秒〜２秒の範囲内で選択される、
方法。
【請求項１０】
請求項１に記載の注入システム（１００；２００）を運転する方法であって、
スタンバイ状態で前記注入システムを維持する前記ステップ（５２０）は、前記送達アレンジメントをクランプするために前記クランプ手段に対して作用するステップ（５７０）を含む、
方法。
【請求項１１】
請求項１０に記載の注入システム（１００；２００）を運転する方法であって、
前記送達アレンジメントをクランプするために前記クランプ手段に対して作用する前記ステップ（５７０）は、前記送達アレンジメントをクランプ解除するために前記クランプ手段に対して作用する前記ステップ（５６０）の後に行なわれる、
方法。
【請求項１２】
請求項４に記載の注入システム（１００；２００）を運転する方法であって、
スタンバイ状態で前記注入システムを維持する前記ステップ（５２０）は、前記の連続する注入手順の開始時間（ｔｎｉ）を計算するステップを含む、
方法。
【請求項１３】
請求項１２に記載の注入システム（１００；２００）を運転する方法であって、
スタンバイ状態で前記注入システムを維持する前記ステップ（５２０）は、前記の計算するステップから得られた前記の連続する注入手順の開始時間（ｔｎｉ）と、前記の所定のクランプ解除時間（ｔｄ）を比較するステップを含む、
方法。
【請求項１４】
請求項１に記載の注入システム（１００；２００）を運転する方法であって、
前記送達アレンジメントをクランプ解除するために前記クランプ手段に対して作用する前記ステップ（５６０）および前記送達アレンジメントをクランプするために前記クランプ手段に対して作用する前記ステップ（５７０）は、自動的に行なわれる、
方法。
【請求項１５】
請求項１に記載の注入システム（１００；２００）を運転する方法であって、
前記注入システムは、第一の供給ステーション（１０５ａ）および第二の供給ステーション（１０５ｂ）を備え、スタンバイ状態で前記注入システムを維持する前記ステップは：
−前記の所定のクランプ解除頻度に従って、所定のクランプ解除持続時間、前記のそれぞれの送達アレンジメントのチュービング（１４１ａ）をクランプ解除するために、前記の第一の供給ステーションと関係がある前記クランプ手段をアクティブにするステップ（５６０ａ）、および
−前記の第一の供給ステーションと関係がある前記クランプ手段を連続してアクティブにするステップ（５７０ａ）、
を含む、
方法。
【請求項１６】
請求項１５に記載の注入システム（１００；２００）を運転する方法であって、
スタンバイ状態で前記注入システムを維持する前記ステップは：
−前記の所定のクランプ解除頻度に従って、所定のクランプ解除持続時間、前記のそれぞれの送達アレンジメントのチュービング（１４１ｂ）をクランプ解除するために、前記の第二の供給ステーションと関係がある前記クランプ手段をアクティブにするステップ（５６０ｂ）
ここで、前記の第二の供給ステーションと関係がある前記クランプ手段をアクティブにする前記ステップ（５６０ｂ）は、前記の第一の供給ステーションと関係がある前記クランプ手段をアクティブにする前記ステップ（５７０ａ）の後に行なわれる、
および
−前記の第二の供給ステーションと関係がある前記クランプ手段を連続してアクティブにするステップ（５７０ｂ）、
を含む、
方法。
【請求項１７】
請求項１６に記載の注入システム（１００；２００）を運転する方法であって、
スタンバイ状態で前記注入システムを維持する前記ステップは：
−前記の所定のクランプ解除頻度に従って、所定のクランプ解除持続時間、前記のそれぞれの送達アレンジメントのチュービング（１４１ｃ）をクランプ解除するために、第三の供給ステーションと関係がある前記クランプ手段をアクティブにするステップ（５６０ｃ）
ここで、前記の第三の供給ステーションと関係がある前記クランプ手段をアクティブにする前記ステップ（５６０ｃ）は、前記の第二の供給ステーションと関係がある前記クランプ手段をアクティブにする前記ステップ（５７０ｂ）の後に行なわれる、
および
−前記の第三の供給ステーションと関係がある前記クランプ手段を連続してアクティブにするステップ（５７０ｃ）、
を含む、
方法。